(57)【要約】【課題】バーナボディの内部への煮汁等の流入が確実に防止できるだけでなく、炎孔からの炎を確実に立上がらせて安定した燃焼が得られるコンロ用バーナを提供する。【解決手段】バーナボディ４に、外側に向かって上向きに傾斜する第１環状面９と、外側に向かって下向きに傾斜する第２環状面１０とを設ける。バーナヘッド５に、第１環状面９の上方に対向する上部壁１５と、第２環状面１０に下端面２０が当接する外周壁１９と、外周壁１９の周方向に間隔を存して多数の溝２１とを設ける。各溝２１と第２環状面１０とにより炎孔２３を形成する。第１環状面９と上部壁内面１６とにより、分布室８から炎孔２３に向かう混合ガスを斜め上方に整流する整流室１７を設ける。【選択図】図２
2014016139.tif 000002
【特許請求の範囲】
【請求項１】
燃料ガスと一次空気との混合ガスを生成する混合管部の下流端に連設されて内部に分布室が形成された環状のバーナボディと、該バーナボディ上に設けて外周に火炎を形成するバーナヘッドとを備えるコンロ用バーナにおいて、
前記バーナボディは、内側から外側に向かって上向きに傾斜して環状に形成された第１環状面と、該第１環状面の外周縁に連設されて環状に形成され、内側から外側に向かって下向きに傾斜する第２環状面とを備え、
前記バーナヘッドは、前記第１環状面の上方に所定の空隙を存して対向して該第１環状面と同一方向に傾斜する環状の内面を有する上部壁と、該上部壁の外側に連設されて下方に突出し、前記第２環状面の内周縁と外周縁との間の領域内に下端面が当接する環状の外周壁と、該外周壁の周方向に間隔を存して多数形成され、前記上部壁内面と同一方向に連続して傾斜する上部面を有する溝とを備え、
前記外周壁の各溝と前記第２環状面とにより該第２環状面を下部面とする炎孔が多数形成され、
前記バーナボディの前記第１環状面と前記バーナヘッドの前記上部壁内面とにより、前記分布室から前記炎孔に向かう混合ガスを前記炎孔に向かって斜め上方に整流する環状の整流室が形成されていることを特徴とするコンロ用バーナ。
【請求項２】
前記バーナヘッドの前記外周壁は、外径が上方に向かって次第に小径となるテーパ状に形成され、
前記各炎孔は、前記外周壁の外側周端面において斜め上向きに開口することを特徴とする請求項１記載のコンロ用バーナ。
【発明の詳細な説明】
【技術分野】
【０００１】
本発明は、ガスコンロに設けられるコンロ用バーナに関する。
【背景技術】
【０００２】
一般に、コンロ用バーナは、バーナボディ上にバーナヘッドを載置することによって、バーナヘッドの外周に多数の炎孔が形成される。即ち、バーナヘッドは、その外周端部から下方に突出する環状の外周壁を備え、外周壁には、周方向に所定間隔を存して多数の溝が形成されている。そして、バーナヘッドの外周壁をバーナボディに形成された着座面に着座させることにより、当該着座面を内側底面として外周壁の各溝による炎孔が形成される。
【０００３】
ところで、この種のコンロ用バーナにおいては、鍋等の調理容器を効率良く加熱するため、炎孔からの炎が立上がるように形成されるのが好ましい。このため、バーナヘッドの溝とバーナボディに設けた着座面とを、外側に向かって上向きに傾斜するように形成し、炎孔からの炎が立上がって形成されるようにしている。
【０００４】
しかし、前記着座面が外側に向かって上向きに傾斜していると、調理の際に調理容器から吹きこぼれた煮汁等が、該着座面を伝ってバーナボディの内部に流れ込むおそれがある。
【０００５】
そこで、バーナボディに、内側から外側に向かって下向きに傾斜する傾斜面を、前記着座面の外周縁に連設することにより、着座面と傾斜面との境界が頂部となる略山型の突条部を形成し、煮汁が着座面に向かって流れるのを防止すると共に傾斜面により外側へ向かって流下させるようにしたコンロ用バーナが提案されている（下記特許文献１参照）。
【０００６】
このものでは、バーナヘッドの外周壁を、着座面と傾斜面とからなる突条部上に載置し、外周壁に着座面上から傾斜面上にわたる溝を設けることで炎孔を形成している。
【先行技術文献】
【特許文献】
【０００７】
【特許文献１】実公平３−２４９９０号公報
【発明の概要】
【発明が解決しようとする課題】
【０００８】
しかし、着座面と傾斜面とからなる突条部上にバーナヘッドの外周壁を載置するものでは、外周壁の溝による炎孔における混合ガスの流路長が比較的長く、炎孔における混合ガスの通過抵抗が大きくなる。このため、炎孔における炎の形成が不安定となる。しかも、各炎孔は、流路面積が比較的小さいために、前記着座面上に位置する炎孔を外側に向かって上向きに傾斜させて設けても、当該部分の炎孔を通過させるだけでは混合ガスの流れが外方上向きになり難く、炎孔の出口部においては炎の立上がりが十分に得られない不都合がある。
【０００９】
上記の点に鑑み、本発明は、バーナボディの内部への煮汁等の流入が確実に防止できるだけでなく、炎孔からの炎を確実に立上がらせて安定した燃焼が得られるコンロ用バーナを提供することを目的とする。
【課題を解決するための手段】
【００１０】
かかる目的を達成するために、本発明は、燃料ガスと一次空気との混合ガスを生成する混合管部の下流端に連設されて内部に分布室が形成された環状のバーナボディと、該バーナボディ上に設けて外周に火炎を形成するバーナヘッドとを備えるコンロ用バーナにおいて、前記バーナボディは、内側から外側に向かって上向きに傾斜して環状に形成された第１環状面と、該第１環状面の外周縁に連設されて環状に形成され、内側から外側に向かって下向きに傾斜する第２環状面とを備え、前記バーナヘッドは、前記第１環状面の上方に所定の空隙を存して対向して該第１環状面と同一方向に傾斜する環状の内面を有する上部壁と、該上部壁の外側に連設されて下方に突出し、前記第２環状面の内周縁と外周縁との間の領域内に下端面が当接する環状の外周壁と、該外周壁の周方向に間隔を存して多数形成され、前記上部壁内面と同一方向に連続して傾斜する上部面を有する溝とを備え、前記外周壁の各溝と前記第２環状面とにより該第２環状面を下部面とする炎孔が多数形成され、前記バーナボディの前記第１環状面と前記バーナヘッドの前記上部壁内面とにより、前記分布室から前記炎孔に向かう混合ガスを前記炎孔に向かって斜め上方に整流する環状の整流室が形成されていることを特徴とする。
【００１１】
本発明は、前記バーナヘッドの外周で火炎を形成する前記炎孔が、前記外周壁の前記溝と前記第２環状面とによって構成される。前記第２環状面は、外側に向かって下向きに傾斜しているので、調理の際に調理容器から吹きこぼれた煮汁等が炎孔に流入しようとしても、前記第２環状面の傾斜により炎孔の外側に案内される。よって、煮汁のバーナボディ内部への侵入を防止することができる。
【００１２】
また、前記バーナヘッドの外周壁の溝は、前記バーナボディの第２環状面上にのみ存在し、第１環状面上には存在しない。これにより、炎孔は第２環状面上にのみ形成されて、混合ガスの流路長が比較的短いから、炎孔における混合ガスの通過抵抗が小さい。
【００１３】
一方、前記整流室を設けたことにより、分布室から炎孔へ向かう混合ガスは、炎孔に流入するに先立って斜め上向き方向に整流される。そして、上述の通り、炎孔における混合ガスの通過抵抗が小さいことにより、炎孔を通過する混合ガスにおいても斜め上向き方向の流れが確実に維持される。従って、混合ガスは、炎孔から外方に向かって斜め上方に噴出し、外側に向かって下向きに傾斜する第２環状面の影響を抑えて、炎孔からの炎を確実に立上がらせることができる。
【００１４】
更に、炎孔は、その上部面が前記バーナヘッドの上部壁内面に連続して外側に向かって上向きに傾斜し、その下部面が第２環状面によって外側に向かって下向きに傾斜することにより、その入口の開口面積よりも出口の開口面積が大きく形成されている。これにより、炎孔において形成される炎のリフトが抑えられると共に、炎孔同士の火移り性も良く、良好な燃焼を安定して得ることができる。
【００１５】
また、本発明において、前記バーナヘッドの前記外周壁は、その外径が上方に向かって次第に小となるテーパ状に形成され、前記各炎孔は、前記外周壁の外側周端面において斜め上向きに開口することを特徴とする。
【００１６】
前記外周壁は、その下端側の外径よりも上端側の外径が小であることにより、外周壁の外側周端面では各炎孔が斜め上向きに開口する。このように、炎孔が斜め上向きに開口することにより、一層確実に炎を立上がらせることができる。また、各炎孔からの炎は、バーナヘッドの外周に沿って環状に形成されるが、環状に形成される炎の径は外周壁の上端側の外径に応じて小さくなる。これにより、例えば、調理容器の底部の外側への炎溢れを抑えて高い熱効率を得ることができる。
【００１７】
更に、炎孔は斜め上向きに開口していても、上述した通り、炎孔の下部面は第２環状面により外側に向かって下向きに傾斜しているので、炎孔からバーナボディ内部への煮汁等の流入を防止することができる。
【図面の簡単な説明】
【００１８】
【図１】本発明の実施形態のコンロ用バーナを示す説明的断面図。
【図２】図１の要部を拡大して示す説明的断面図。
【発明を実施するための形態】
【００１９】
本発明の一実施形態を図面に基づいて説明する。図１を参照して、１は図示省略したコンロ本体の上面を覆う天板、２は本実施形態のコンロ用バーナを示している。天板１にはバーナ用開口１ａが開設されている。天板１上には、バーナ用開口１ａを囲うようにして図示省略した五徳が載置される。そして、五徳に載置する鍋等の調理容器がバーナ２により加熱される。
【００２０】
バーナ２は、コンロ本体内に設置される混合管部３と、混合管部３に連設されてバーナ用開口１ａを通して天板１上に露出するバーナボディ４と、バーナボディ４上に着脱自在に載置されたバーナヘッド５とを備えている。更に、バーナ２は、バーナヘッド５の上方を所定の空隙を存して覆う覆板６と、覆板６を貫通して上方に突出する鍋底温度センサ７とを備えている。
【００２１】
混合管部３の上流端には、図示省略したガスノズルが臨んでおり、ガスノズルから噴出する燃料ガスと、この燃料ガスの噴流に伴い混合管部３の上流端から吸引される一次空気とが混合管部３内で混合されて混合ガスが生成される。
【００２２】
バーナボディ４の内部には、混合管部３に連通する環状の分布室８が形成されている。また、バーナボディ４は、分布室８の上部を覆うように設けられた第１環状面９と第２環状面１０とを備えている。
【００２３】
第１環状面９は、内側から外側に向かって上向きに傾斜して環状に形成されている。第２環状面１０は、第１環状面９の外周縁に連設されて、内側から外側に向かって下向きに傾斜して環状に形成されている。第２環状面１０の外周縁には、湾曲部１１を介して下方に延びる筒状の外側壁１２が形成され、外側壁１２の下端部が天板１の下方において底壁１３に一体にカシメられている。
【００２４】
バーナヘッド５は、筒状に形成されて鉛直下方に延びる内筒部１４を中央部に備え、内筒部１４がバーナボディ４の分布室８の内側を閉塞している。内筒部１４の内側には図示しない支持部材によりコンロ本体の内部に支持された前記鍋底温度センサ７が貫通して立設されている。
【００２５】
バーナヘッド５は、内筒部１４の上部端から連続して外方に広がる形状の上部壁１５を備えている。上部壁１５は、図２に示すように、その下向きの面である環状の上部壁内面１６が、第１環状面９の上方に所定の空隙を存して対向し、第１環状面９と略平行に傾斜している。そして、バーナヘッド５の上部壁内面１６とバーナボディ４の第１環状面９とにより、環状の空間からなる整流室１７が形成されている。
【００２６】
バーナボディ４の第１環状面９の内周縁には、バーナヘッド５の内筒部１４との間に所定の空隙を存して対向する筒状の案内壁１８が連設されている。分布室８の混合ガスは、この案内壁１８とバーナヘッド５の内筒部１４との間を通って整流室１７に向かう。
【００２７】
図１に示すように、バーナヘッド５の上部壁１５の外側には、下方に突出する外周壁１９が一体に連設されている。外周壁１９の下端面２０は、第２環状面１０の内周縁と外周縁との間の領域内に当接している。これにより、バーナヘッド５は外周壁１９を介してバーナボディ４に載置された状態で設けられる。
【００２８】
外周壁１９には、バーナヘッド５の径方向に沿って放射状に貫通する多数の溝２１が形成されている。各溝２１の上端には上部壁内面１６に連続して傾斜する上部面２２が形成されている。各溝２１の下端側は開放されており、外周壁１９の下端面２０が第２環状面１０に当接することにより、第２環状面１０を下部面とする多数の炎孔２３がバーナヘッド５の外周に形成される。
【００２９】
バーナヘッド５の外周壁１９は、外径が上方に向かって次第に小径となるテーパ状に形成されている。これにより、炎孔２３の出口部２４は、外周壁１９の外側周端面において斜め上向きに開口する。
【００３０】
また、炎孔２３は、図２に示すように、その上部面２２が外側に向かって上向きに傾斜しており、第２環状面１０による下部面が外側に向かって下向きに傾斜していることにより、出口部２４の開口面積が入口部２５の開口面積よりも大となっている。
【００３１】
以上の構成による本実施形態のバーナ２は、図２に示すように、外側に向かって下向きに傾斜する第２環状面１０を備えている。これにより、例えば、調理の際に鍋等の調理容器から吹きこぼれた煮汁が炎孔２３の上方から流下した場合、煮汁は第２環状面１０の案内によりバーナ２の外方に向かって流れる。よって、煮汁が炎孔２３からバーナボディ４の内部に侵入することを防止することができる。
【００３２】
また、本実施形態のバーナ２は、第２環状面１０上においてのみ炎孔２３が形成されており、第１環状面９上には環状の空間である整流室１７が形成されている。これにより、炎孔２３の流路長（入口部２５から出口部２４までの距離）が比較的短く、混合ガスが炎孔２３を通過する際の通過抵抗を小さくすることができる。そして、炎孔２３の流路長が短い分、流路長の長い整流室１７を炎孔２３の上流側に隣接配置することができる。
【００３３】
整流室１７は、バーナボディ４の第１環状面９が有する傾斜と、バーナヘッド５の上部壁内面１６が有する傾斜とにより、分布室８から炎孔２３に向かう混合ガスを斜め上方に整流するように構成されている。そして、整流室１７における混合ガスの流路長が比較的長いことにより、混合ガスが炎孔２３を通過するに先立って、混合ガスを斜め上方の流れに確実に整流することができる。
【００３４】
整流室１７により斜め上方の流れに整流された混合ガスは、炎孔２３の流路長が比較的短く通過抵抗が小さいことにより、斜め上方の流れを維持して炎孔２３を通過する。これにより、炎孔２３の下部面とされる第２環状面１０が外側に向かって下方に傾斜していても、整流された混合ガスは第２環状面１０の影響を殆ど受けることなく、炎孔２３の出口部２４から上向きに噴出し、炎を立上げて形成させることができる。
【００３５】
更に、炎孔２３の上部面２２の傾斜と下部面である第２環状面１０の傾斜とにより、炎孔２３の出口部２４は、その開口面積が入口部２５よりも大きく形成されている。これによれば、炎孔２３を通過する際に混合ガスの流速が早められることが防止でき、炎孔２３の出口部２４で形成される炎のリフトが抑えられると共に、炎孔２３同士の火移り性も向上し、良好な燃焼を安定して得ることができる。
【００３６】
また、バーナヘッド５の外周壁１９が上方に向かって次第に小径となるテーパ状であることで、炎孔２３の出口部２４が斜め上向きに開口する。これにより、調理容器の底部の外側への炎溢れを抑えて高い熱効率を得ることができる。即ち、バーナヘッド５の周方向に配設された各炎孔２３からの炎は、バーナヘッド５の外周に沿って環状に形成される。このとき、バーナヘッド５の外周壁１９の上端側の外径が下端側よりも小さいことにより、環状に形成される炎の径も比較的小さくなる。これによれば、大火力で調理容器を加熱することき、バーナ２の炎が調理容器の底部の中心寄りとなり、環状の炎の径が大きい場合に比べて調理容器の底部の外側への炎溢れが小さくなる。よって、調理容器に対して無駄なく炎を接触させることができ、高い熱効率を得ることができる。
【００３７】
以上のように、本実施形態のバーナ２は、バーナボディ４に第２環状面１０を設けて第２環状面１０の傾斜によりバーナボディ４内部への煮汁等の侵入を防止しながら、炎孔２３においては第２環状面１０の傾斜による影響を抑えて炎を立上げて形成させることができ、良好な燃焼を安定して得ることができる。
【００３８】
なお、本実施形態においては、バーナヘッド５の外周壁１９を、その上方に向かって次第に小径となるテーパ状に形成したものを示したが、例えば、図示しないが、バーナヘッドの外径が比較的小さいバーナの場合には、バーナヘッドの外周に形成される環状の炎の径も小さいため、バーナヘッドの外周壁が鉛直下方に突出させた形状に形成されていてもよい。
【符号の説明】
【００３９】
２…コンロ用バーナ、３…混合管部、４…バーナボディ、５…バーナヘッド、８…分布室、９…第１環状面、１０…第２環状面、１５…上部壁、１６…上部壁内面、１７…整流室、１９…外周壁、２１…溝、２２…上部面、２３…炎孔。
【図１】
2014016139.tif 000003
【図２】
2014016139.tif 000004